(57)【特許請求の範囲】
【請求項１】
番組情報及びＣＭ（Ｃommercial Ｍessage）情報を含むテレビジョン放送情報を記録して再生する記録再生装置において、
前記ＣＭ情報は、当該ＣＭ情報が番組情報を宣伝するための番組宣伝用のＣＭ情報であることを示す番組宣伝識別情報を備え、
使用者による録画条件や取得処理の開始・終了条件の設定に基づいて前記テレビジョン放送情報から前記番組宣伝識別情報を備えるＣＭ情報を取得する取得手段と、
前記取得手段により取得されたＣＭ情報を記憶するＣＭ情報記憶手段と、
前記ＣＭ情報記憶手段により記憶された前記ＣＭ情報の中で、内容が一致する二以上のＣＭ情報から一のＣＭ情報を残して、重複する他のＣＭ情報を削除するＣＭ情報削除手段と、
前記ＣＭ情報記憶手段により記憶された前記ＣＭ情報を再生する再生手段と、
を備え、
前記再生手段は、前記ＣＭ情報記憶手段により記憶された前記ＣＭ情報を、あらかじめ定められた順番に連続的に再生し、
前記ＣＭ情報記憶手段により記憶されたＣＭ情報をリストとして所定の表示手段に一覧表示させるリスト表示制御手段と、
前記リスト表示制御手段により表示された前記ＣＭ情報のリストを、使用者の操作により並べ替えるリスト表示順変更手段と、
前記リスト表示順変更手段により並べ替えられた前記ＣＭ情報のリストの表示順に対応するように、前記ＣＭ情報記憶手段に記憶された前記ＣＭ情報の再生順番を並べ替えるＣＭ再生順変更手段と、
をさらに備えることを特徴とする記録再生装置。
【請求項２】
番組情報及びＣＭ（Ｃommercial Ｍessage）情報を含むテレビジョン放送情報を送信する送信装置と、前記送信装置により送信されたテレビジョン放送情報を記録して再生する記録再生装置と、を備えるテレビジョン放送情報記録再生システムにおいて、
前記送信装置は、
前記ＣＭ情報が番組情報を宣伝するための番組宣伝用のＣＭ情報である場合に、当該ＣＭ情報に、番組宣伝用のＣＭ情報であることを示す番組宣伝識別情報を含めて送信する送信手段を備え、
前記記録再生装置は、
使用者による録画条件や取得処理の開始・終了条件の設定に基づいて前記テレビジョン放送情報から前記番組宣伝識別情報を備えるＣＭ情報を取得する取得手段と、
前記取得手段により取得されたＣＭ情報を記憶するＣＭ情報記憶手段と、
前記ＣＭ情報記憶手段により記憶された前記ＣＭ情報の中で、内容が一致する二以上のＣＭ情報から一のＣＭ情報を残して、重複する他のＣＭ情報を削除するＣＭ情報削除手段と、
前記ＣＭ情報記憶手段により記憶された前記ＣＭ情報を再生する再生手段と、
を備え、
前記再生手段は、前記ＣＭ情報記憶手段により記憶された前記ＣＭ情報を、あらかじめ定められた順番に連続的に再生し、
前記ＣＭ情報記憶手段により記憶されたＣＭ情報をリストとして所定の表示手段に一覧表示させるリスト表示制御手段と、
前記リスト表示制御手段により表示された前記ＣＭ情報のリストを、使用者の操作により並べ替えるリスト表示順変更手段と、
前記リスト表示順変更手段により並べ替えられた前記ＣＭ情報のリストの表示順に対応するように、前記ＣＭ情報記憶手段に記憶された前記ＣＭ情報の再生順番を並べ替えるＣＭ再生順変更手段と、
をさらに備えることを特徴とするテレビジョン放送情報記録再生システム。
【発明の詳細な説明】
【技術分野】
【０００１】
本発明は、記録再生装置及びテレビジョン放送情報記録再生システムに関する。
【背景技術】
【０００２】
従来、ＥＰＧデータの放送番組情報に予告編を構成するデータが含まれている場合、その予告編の映像及び音声を記憶し、視聴者に表示する電子番組ガイド装置が知られている（例えば、特許文献１参照）。
【０００３】
また、ＥＰＧより放送番組情報の次回予告シーンを識別して、その次回予告シーンを録画し、使用者が視聴や録画予約する際に、その次回予告シーンを再生して視聴や録画予約の必要性を検討できるコンテンツ視聴支援装置が知られている（例えば、特許文献２参照）。
【０００４】
また、放映予定番組の紹介映像などが記憶された光ディスクを使用者が再生すると、その番組のタイトルや予約コードがメモリに読み出され、そのメモリに読み出された情報を使用者の要求に応じて表示し、番組予約などに利用させることが出来る画像情報表示方法が知られている（例えば、特許文献３参照）。
ところで、番組情報の放送中に流れるＣＭ情報の中には、番組宣伝用のＣＭ情報が含まれる場合がある。この番組宣伝用のＣＭ情報は、番組改変期などの新番組や特別番組が集中的に発生する時期において、従来のＥＰＧデータに比べて比較的早い段階で放送され、ユーザは、その番組の内容をいち早く知ることができる。
【特許文献１】特開２００２−２６２１９１号公報
【特許文献２】特開２００５−１５９７７０号公報
【特許文献３】特開平８−１１５５８６号公報
【発明の開示】
【発明が解決しようとする課題】
【０００５】
しかしながら、この番組宣伝用のＣＭ情報は、不定期にスポット的に放送されるため、上記特許文献１及び特許文献２のような、ＥＰＧデータの一部として予告編のデータを識別し録画するものでは、かかるＣＭ情報を自動的に録画することが困難であるという問題があった。
【０００６】
また、上記文献３に開示された技術の場合、放送番組情報とは分離したＣＭ自体が光ディスクに記憶されていない限り、番組宣伝用のＣＭ情報を読み出し、当該ＣＭ情報のみを録画することは出来ないという問題があった。
【０００７】
本発明の課題は、ＣＭとして不定期にスポット的に放送される番組宣伝用ＣＭ情報を好適に記憶することが出来る記録再生装置及びテレビジョン放送情報記録再生システムを提供することである。
【課題を解決するための手段】
【０００８】
上記課題を解決するため、請求項１に記載の発明は、
番組情報及びＣＭ（Ｃommercial Ｍessage）情報を含むテレビジョン放送情報を記録して再生する記録再生装置において、
前記ＣＭ情報は、当該ＣＭ情報が番組情報を宣伝するための番組宣伝用のＣＭ情報であることを示す番組宣伝識別情報を備え、
使用者による録画条件や取得処理の開始・終了条件の設定に基づいて前記テレビジョン放送情報から前記番組宣伝識別情報を備えるＣＭ情報を取得する取得手段と、
前記取得手段により取得されたＣＭ情報を記憶するＣＭ情報記憶手段と、
前記ＣＭ情報記憶手段により記憶された前記ＣＭ情報の中で、内容が一致する二以上のＣＭ情報から一のＣＭ情報を残して、重複する他のＣＭ情報を削除するＣＭ情報削除手段と、
前記ＣＭ情報記憶手段により記憶された前記ＣＭ情報を再生する再生手段と、
を備え、
前記再生手段は、前記ＣＭ情報記憶手段により記憶された前記ＣＭ情報を、あらかじめ定められた順番に連続的に再生し、
前記ＣＭ情報記憶手段により記憶されたＣＭ情報をリストとして所定の表示手段に一覧表示させるリスト表示制御手段と、
前記リスト表示制御手段により表示された前記ＣＭ情報のリストを、使用者の操作により並べ替えるリスト表示順変更手段と、
前記リスト表示順変更手段により並べ替えられた前記ＣＭ情報のリストの表示順に対応するように、前記ＣＭ情報記憶手段に記憶された前記ＣＭ情報の再生順番を並べ替えるＣＭ再生順変更手段と、
をさらに備えることを特徴とする。
【００１３】
請求項２に記載の発明は、
番組情報及びＣＭ（Ｃommercial Ｍessage）情報を含むテレビジョン放送情報を送信する送信装置と、前記送信装置により送信されたテレビジョン放送情報を記録して再生する記録再生装置と、を備えるテレビジョン放送情報記録再生システムにおいて、
前記送信装置は、
前記ＣＭ情報が番組情報を宣伝するための番組宣伝用のＣＭ情報である場合に、当該ＣＭ情報に、番組宣伝用のＣＭ情報であることを示す番組宣伝識別情報を含めて送信する送信手段を備え、
前記記録再生装置は、
使用者による録画条件や取得処理の開始・終了条件の設定に基づいて前記テレビジョン放送情報から前記番組宣伝識別情報を備えるＣＭ情報を取得する取得手段と、
前記取得手段により取得されたＣＭ情報を記憶するＣＭ情報記憶手段と、
前記ＣＭ情報記憶手段により記憶された前記ＣＭ情報の中で、内容が一致する二以上のＣＭ情報から一のＣＭ情報を残して、重複する他のＣＭ情報を削除するＣＭ情報削除手段と、
前記ＣＭ情報記憶手段により記憶された前記ＣＭ情報を再生する再生手段と、
を備え、
前記再生手段は、前記ＣＭ情報記憶手段により記憶された前記ＣＭ情報を、あらかじめ定められた順番に連続的に再生し、
前記ＣＭ情報記憶手段により記憶されたＣＭ情報をリストとして所定の表示手段に一覧表示させるリスト表示制御手段と、
前記リスト表示制御手段により表示された前記ＣＭ情報のリストを、使用者の操作により並べ替えるリスト表示順変更手段と、
前記リスト表示順変更手段により並べ替えられた前記ＣＭ情報のリストの表示順に対応するように、前記ＣＭ情報記憶手段に記憶された前記ＣＭ情報の再生順番を並べ替えるＣＭ再生順変更手段と、
をさらに備えることを特徴とする。
【発明の効果】
【００１４】
本発明によれば、番組情報とＣＭ情報を含むテレビジョン放送情報を取得し、その取得されたＣＭ情報の中で、番組宣伝識別情報を保有するＣＭ情報だけを判別して、不定期にスポット的に放送される番組宣伝用のＣＭ情報を好適に記憶することができる。そして、その記憶されたＣＭ情報を再生することが出来る。
すなわち、使用者は、番組改変期などの新番組や特別番組が集中的に発生する時期において、その番組の内容を、従来のＥＰＧデータに比べて比較的早い段階で把握することが出来る。
また、本発明によれば、記憶されたＣＭ情報を連続的に再生することが出来る。つまり、使用者は、記憶された複数からなるＣＭ情報を、一度に連続して視聴することが出来るので、個別に選択して視聴する手間を省くことが出来る。また、例えば、ストーリー性があり複数から構成されるＣＭ情報を、ユーザは間断なく好適に視聴することが出来る。
また、本発明によれば、記憶されたＣＭ情報をテレビジョン受像機の表示部にリストとして表示し、ユーザにリモコン操作を介してリストの並べ替えをさせることが出来る。つまり、使用者は、記憶されたＣＭ情報を、リストとして画面上で一度に確認することが出来るので、個別にＣＭ情報を選択して確認する手間が省ける。さらに、例えば、そのＣＭ情報のジャンルや記憶日時などに応じて、ＣＭ情報を再生する順序を使用者の所望するように変更することができる。
【発明を実施するための最良の形態】
【００１５】
以下、図を参照して、本発明に係る記録再生装置及びテレビジョン放送情報記録再生システムの実施形態を詳細に説明する。なお、発明の範囲は、図示例に限定されない。
【００１６】
図１に示すように、テレビジョン放送情報記録再生システム１００は、テレビジョン放送情報に含まれる番組情報とＣＭ情報を、映像データや音声データ等から成るテレビジョン放送情報として、録画保存用ディスクドライブ８に記録するとともに、録画保存用ディスクドライブ８に記録されたテレビジョン放送情報の再生を行う記録再生装置１と、ユーザが各種操作指示を入力するためのリモコン部２と、記録再生装置１において再生されたテレビジョン放送情報に基づく情報を表示させる所定の表示手段としてのテレビジョン受像機２００と、番組情報及びＣＭ情報を含むテレビジョン放送情報を送信する送信装置５００と、を備えて構成されている。
【００１７】
このテレビジョン放送情報記録再生システム１００は、例えば、送信装置５００より送信されたテレビジョン放送情報に含まれるＣＭ情報から、記録再生装置１が番組宣伝用のＣＭ情報のみを取得して記憶し再生するシステムである。
【００１８】
送信装置５００は、送信プログラム５００ａを備えて構成されており、デジタル化された映像データ、音声データ、ＰＳＩ（Program Specific Information：番組特定情報）／ＳＩ（Service Information：番組配列情報）からなるテレビジョン放送情報の信号を、放送信号として、例えば、デジタル放送タワーや中継局を経由して送信する。
ＰＳＩは、例えば、ＰＭＴ（Program Map Table）、ＰＡＴ（Program Association Table）、ＮＩＴ（Network Information Table）、ＣＡＴ（Conditional Access Table）の４つのテーブルであり、番組の選択等に用いられる。また、ＳＩは、ＳＤＴ（Service Description Table）、ＥＩＴ（Event Information Table）、ＢＡＴ（Bouquet Association Table）、ＴＤＴ（Time Date Table）等の各種テーブルであり、テレビジョン放送情報のタイトル、チャンネル、放送局、ジャンル、放送時刻としての放送開始時刻・放送終了時刻、出演者、番組名、内容、などが含まれる他、テレビジョン放送情報が番組宣伝用のＣＭ情報の場合には「番組宣伝識別情報」などの番組やＣＭを識別するための情報が含まれる。
【００１９】
送信プログラム５００ａは、テレビジョン放送情報として送信される放送情報が番組宣伝用のＣＭ情報である場合、ＰＳＩ／ＳＩに、例えば、「新番組紹介」や「特別番組紹介」を識別するための番組宣伝識別情報（例えば、コード、或いは文字データ）を付して送信する送信手段として機能する。
【００２０】
記録再生装置１は、送信装置５００から送信された放送信号をアンテナ１７を介して受信し、その放送信号から所定の放送チャンネルの放送番組情報に応じた信号を選局するチューナ３と、チューナ３から出力された放送信号を構成するテレビジョン放送情報における映像データから同期信号を分離する分離部４と、分離部４から入力されたテレビジョン放送情報或いは録画保存用ディスクドライブ８に記録されたテレビジョン放送情報から、それらテレビジョン放送情報を識別する複数の識別情報を抽出する抽出部５と、抽出部５から入力されたテレビジョン放送情報に対して所定の圧縮処理を行うエンコーダ６と、テレビジョン放送情報の入出力経路を設定して、エンコーダ６から入力されたテレビジョン放送情報を録画保存用ディスクドライブ８に送給するとともに、録画保存用ディスクドライブ８から取り込んだテレビジョン放送情報を装置の各部に出力するデータプロセッサ７と、テレビジョン放送情報の記録及び再生を行う記録再生装置１に内蔵された録画保存用ディスクドライブ８と、録画保存用ディスクドライブ８から出力されたテレビジョン放送情報に所定の復元処理を行うデコーダ１０と、デコーダ１０から出力されたテレビジョン放送情報に対して所定の信号出力処理を行う出力インターフェース部１１と、テレビジョン放送情報における映像データに対してＯＳＤデータを付加するＯＳＤ（On Screen Display）回路１２と、リモコン部２からの入力操作信号を受信するとともに、その入力操作信号を制御部１４に出力するリモコン信号受光部１３と、記録再生装置１の各部を統括制御する制御部１４と、装置各部を接続する制御バス１５と、現在時刻を計時する計時部１６等を備えている。
【００２１】
リモコン部２は、例えば、記録再生装置１に対して遠隔操作を行うリモートコントロール装置（リモコン）であり、テレビ受像機２００の表示画面２００ａに表示されたＣＭ情報のファイル名の配置を、上下左右に移動させる上下左右方向キー（図示省略）や、その移動状態を反映させる決定キー（図示省略）などを備えている。
【００２２】
チューナ３は、例えば、図示は省略するが、高周波増幅回路と、局部発振回路及び混合回路から成る周波数変換回路等を備えて構成されている。
チューナ３は、記録再生装置１に接続されたアンテナ１７を介して記録再生装置１に入力されたテレビジョン放送信号と、局部発振回路から出力される局部発振信号とを混合回路により混合し、その放送信号の周波数を選局するための制御部１４からの制御出力に応じて、特定周波数帯の放送信号を受信する。そしてチューナ３は、受信した放送信号を所定の中間周波数を有するＩＦ（中間周波：Intermediate Frequency）信号に変換して分離部４に出力する。
【００２３】
分離部４は、放送信号であるテレビジョン放送情報を抽出部５に出力するとともに、チューナ３より入力されたＩＦ信号からテレビジョン放送情報を構成する映像データと音声データを分離し、分離した映像データから、同期信号を分離して装置の各部に出力する。この同期信号に基づいて、録画保存用ディスクドライブ８におけるテレビジョン放送情報の記録、再生等が行われる際の同期がとられることとなる。
【００２４】
抽出部５は、後述するＣＰＵ１４２からの制御出力に基づいて、分離部４より入力されたテレビジョン放送情報から、そのテレビジョン放送情報を識別する複数の識別情報を抽出するとともに、録画保存用ディスクドライブ８に記録されたテレビジョン放送情報を識別する複数の識別情報を抽出する。
具体的には、抽出部５は、例えば、テレビジョン放送情報に含まれるＰＳＩ／ＳＩから、番組情報やＣＭ情報等のテレビジョン放送情報毎に、「放送日」「曜日」「放送開始時刻」「放送チャンネル」「ジャンル」「放送番組名」のテレビジョン放送情報を識別する複数の識別情報の他、テレビジョン放送情報がＣＭ情報の場合には、番組宣伝識別情報をそれぞれ抽出し、抽出した複数の識別情報を制御部１４に対して出力する。
【００２５】
エンコーダ６は、例えば、図示は省略するがビデオエンコーダと、オーディオエンコーダ等を備えて構成されている。
ビデオエンコーダは、テレビジョン放送情報を構成する映像データをＭＰＥＧ（Motion Picture Expert Group）方式に従って圧縮し、オーディオエンコーダは、テレビジョン放送情報を構成する音声データをＭＰＥＧオーディオ方式に従って圧縮する。
そして、このエンコーダ６において生成されたテレビジョン放送情報は、データプロセッサ７を介して録画保存用ディスクドライブ８に出力されることとなる。
【００２６】
データプロセッサ７は、後述するＣＰＵ１４２からの制御出力に基づいて、テレビジョン放送情報の入出力経路を設定し、データの入力及び出力を制御する。
具体的には、例えば、ユーザによるリモコン部２の操作により録画保存用ディスクドライブ８に対する記憶の指示がなされた場合には、エンコーダ６から入力されたテレビジョン放送情報を録画保存用ディスクドライブ８に出力する。
【００２７】
録画保存用ディスクドライブ８は、ＣＭ情報記憶フォルダ８ａを備えており、例えば、ＡＴＡ（AT Attachment）規格を採用しており、内蔵されたハードディスクと、録画保存用ディスクドライブ８に対するデータの記憶或いは録画保存用ディスクドライブ８に記憶されたデータの読み出しを行う磁気ヘッド（図示省略）と、録画保存用ディスクドライブ８を回転駆動させるとともに、磁気ヘッドを録画保存用ディスクドライブ８の半径方向に移動させるための駆動部（図示省略）等を備えて構成されている。録画保存用ディスクドライブ８は、非磁性体のディスク基板（図示省略）と、その上に設けられた磁性層（図示省略）と、を備えて成り、磁気ヘッドと録画保存用ディスクドライブ８との間に、電流を供給することにより磁界を発生する微小なギャップを有している。
【００２８】
ＣＭ情報記憶フォルダ８ａは、番組情報とは別に、番組宣伝識別情報を保有するＣＭ情報のみを記憶する。
つまり、このＣＭ情報記憶フォルダ８ａに番組宣伝識別情報を保有するＣＭ情報のみを格納することにより、後述のリスト表示プログラム１４４ｆによるテレビ受像機２００の表示画面２００ａでのＣＭ情報のリスト表示や、再生プログラム１４４ｃによるＣＭ情報の連続再生をしやすくする。
【００２９】
このように、録画保存用ディスクドライブ８は、ＣＭ情報を記憶するＣＭ情報記憶手段としての機能を有する。  
【００３０】
デコーダ１０は、例えば、図示は省略するが、セパレート部と、ビデオデコーダと、オーディオデコーダ等を備えて構成されている。
セパレート部は、録画保存用ディスクドライブ８からデータプロセッサ７を介して出力されたテレビジョン放送情報を映像データ、音声データ等の複数のデータに分離する。また、ビデオデコーダは、セパレート部において分離された映像データを、ＭＰＥＧ方式に従って復元し、オーディオデコーダは、セパレート部において分離された音声データをＭＰＥＧオーディオ方式に従って復元する。
このデコーダ１０において生成されたテレビジョン放送情報は、再生処理においては出力インターフェース部１１に出力されることとなる。
【００３１】
出力インターフェース部１１は、例えば、映像出力部１１ａと音声出力部１１ｂと、図示しないＤ／Ａ変換器等を備え、再生処理においてデコーダ１０から入力されるテレビジョン放送情報に対して各種の出力インターフェース処理を施し、ＮＴＳＣ方式やＰＡＬ方式等のテレビジョン受像機２００に適合した映像データ、音声データに変換する。具体的には、Ｄ／Ａ変換器は、出力がアナログである場合に、デコーダ１０より入力されたデジタルのテレビジョン放送情報をアナログデータに変換する。
この出力インターフェースにおいて生成されたテレビジョン放送情報に基づく情報である映像や音声は、記録再生装置１に接続されたテレビジョン受像機２００の表示画面２００ａやスピーカ（図示省略）にそれぞれ出力されることとなる。
【００３２】
ＯＳＤ回路１２は、テレビジョン放送情報を構成する映像データに対して、ＲＯＭ１４４に格納された図示しないＯＳＤデータを合成する処理を行う。
【００３３】
リモコン信号受光部１３は、リモコン部２に備わる各種キーが、ユーザの押下操作により出力された赤外線等の入力操作信号を受信し、その入力操作信号を制御部１４に対して出力する。
【００３４】
制御部１４は、ＣＰＵ（Central Processing Unit）１４２と、ＲＡＭ（Random Access Memory）１４３と、ＲＯＭ（Read Only Memory）１４４等を備えて構成されている。
【００３５】
ＣＰＵ１４２は、記録再生装置１の各部を介して入力された入力信号や、リモコン部２の各種キーの押下操作によってリモコン信号受光部１３を介して入力された入力操作信号等に応じて、ＲＯＭ１４４に格納された各種プログラムを実行するとともに、実行にかかるプログラムに基づいて装置の各部に出力信号を出力することによって、記録再生装置１の動作全般を統括制御する。
【００３６】
ＲＡＭ（Random Access Memory）１４３は、例えば、ＣＰＵ１４２により実行される処理プログラム等を展開するためのプログラム格納領域（図示省略）や、入力データや処理プログラムが実行される際に生じる処理結果等を格納するデータ格納領域（図示省略）などを備える。
【００３７】
ＲＯＭ（Read Only Memory）１４４は、例えば、不揮発性メモリからなり、テレビジョン受像機２００の表示画面２００ａに表示するＯＳＤ表示に関するＯＳＤデータが格納されるデータ格納エリアやプログラム格納エリアを有し、プログラム格納エリアには、取得プログラム１４４ａ、ＣＭ情報記憶プログラム１４４ｂ、再生プログラム１４４ｃ、ＣＭ情報削除プログラム１４４ｄ、リスト表示順変更プログラム１４４ｅ、リスト表示制御プログラム１４４ｆ、ＣＭ再生順変更プログラム１４４ｇ、設定表示制御プログラム１４４ｈ、設定記憶プログラム１４４ｉ、判断プログラム１４４ｊ等の各種プログラムが格納されている。
【００３８】
取得プログラム１４４ａは、チューナ３から取得したテレビジョン放送情報から、番組宣伝識別情報を備えるＣＭ情報を取得する機能をＣＰＵ１４２に実現させるプログラムである。
つまり、ＣＰＵ１４２は、取得プログラム１４４ａを実行することにより、テレビジョン放送情報の中から、番組宣伝識別情報を保有するＣＭ情報のみを取得する。具体的には、ＣＰＵ１４２は、例えば「新番組紹介」や「特別番組紹介」などを識別する番組宣伝識別情報を保有するＣＭ情報を検索し、番組宣伝識別情報を保有するＣＭ情報のみを取得する。
よって、ＣＰＵ１４２は、かかる取得プログラム１４４ａを実行することにより、取得手段として機能する。
【００３９】
ＣＭ情報記憶プログラム１４４ｂは、ＣＰＵ１４２が取得プログラム１４４ａを実行することにより取得したＣＭ情報をＣＭ情報記憶フォルダ８ａに記憶させる機能をＣＰＵ１４２に実現させるプログラムである。
つまり、ＣＰＵ１４２は、ＣＭ情報記憶プログラム１４４ｂを実行することにより、録画保存用ディスクドライブ８に記録される番組情報とは区別して、番組宣伝識別情報を保有するＣＭ情報をＣＭ情報記憶フォルダ８ａに記憶する記憶手段として機能する。
【００４０】
再生プログラム１４４ｃは、ＣＰＵ１４２がＣＭ情報記憶プログラム１４４ｂを実行することによりＣＭ情報記憶フォルダ８ａに記憶された１又は複数からなるＣＭ情報を、連続的に再生する機能をＣＰＵ１４２に実現させるプログラムである。
つまり、ＣＰＵ１４２は、再生プログラム１４４ｃを実行することにより、ＣＭ情報記憶フォルダ８ａに記憶された一又は複数のＣＭ情報を、例えば、あらかじめ再生順データファイル８ｃに定められた記載に基づいて連続的に再生する再生手段として機能する。ここで、再生順データファイル８ｃは、ＣＭ情報記憶フォルダ８ａに記憶された各ＣＭ情報のファイル名と再生順が記載されており、そのＣＭ情報が記憶された日時が古いものより順に、再生順の番号が割り振られている。
【００４１】
ＣＭ情報削除プログラム１４４ｄは、ＣＭ情報記憶プログラム１４４ｂによりＣＭ情報記憶フォルダ８ａに記憶された二以上のＣＭ情報の中で、内容が一致するＣＭ情報のうち一のＣＭ情報を残して重複する他のＣＭ情報を削除する機能をＣＰＵ１４２に実現させるプログラムである。
つまり、ＣＰＵ１４２は、ＣＭ情報削除プログラム１４４ｄを実行することにより、ＣＭ情報記憶フォルダ８ａに記憶された二以上の番組宣伝用のＣＭ情報の中で、例えば、それぞれのＣＭ情報が保有する「放送予定番組名」「放送予定時間帯」等の番組宣伝識別情報が完全に一致するＣＭ情報が存在する場合に、一以外の当該ＣＭ情報をＣＭ情報記憶フォルダ８ａから削除する削除手段として機能する。
【００４２】
リスト表示制御プログラム１４４ｆは、ＣＭ情報記憶フォルダ８ａに記憶されたＣＭ情報を、リストとしてテレビジョン受像機２００の表示画面２００ａに一覧表示させる機能をＣＰＵ１４２に実現させるプログラムである。
つまり、ＣＰＵ１４２がリスト表示制御プログラム１４４ｆを実行することにより、ＣＭ情報記憶フォルダ８ａに記憶された番組宣伝用のＣＭ情報の記憶ファイル名と、例えば、当該ＣＭ情報が記憶された日時、チャンネル、番組宣伝の対象となっている放送予定の番組名、ドラマやバラエティなどの放送予定の番組のジャンル、などの各ＣＭ情報が保有する識別情報とともにリストとしてテレビジョン受像機２００の表示画面２００ａに表示させる表示制御手段として機能する。
【００４３】
ＣＭ再生順変更プログラム１４４ｇは、ユーザがリモコン部２の操作により並べかえたＣＭ情報のリストの表示順に従って、ＣＭ情報記憶フォルダ８ａに記憶されたＣＭ情報を並べ替える機能をＣＰＵ１４２に実現させるプログラムである。
つまり、ＣＰＵ１４２がＣＭ再生順変更プログラム１４４ｇを実行することにより、ユーザがリモコン部２の操作によりＣＭ情報のリストを、例えば、ドラマやバラエティなどの放送予定の番組のジャンル順に並べ替えた場合に、ＣＭ情報記憶フォルダ８ａに記憶された各ＣＭ情報のファイル名と再生順が記載された再生順データファイル８ｃを、その並べ替えられた順に従って再生順の番号変更をする。したがって、前記再生プログラム１４４ｃは、この再生順が更新された再生順データファイル８ｃに基づいて複数のＣＭ情報を連続再生することができるので、ユーザは自己の所望する再生順どおりにＣＭ情報の再生ができる。
【００４４】
リスト表示順変更プログラム１４４ｅは、テレビジョン受像機２００の表示画面２００ａに表示されたＣＭ情報のリストの表示順を、ユーザがリモコン部２を操作して変更させる場合に、ユーザ操作に追随するようにテレビジョン受像機２００の表示画面２００ａに表示されるＣＭ情報のリスト表示順を変更する機能をＣＰＵ１４２に実現させるプログラムである。
つまり、ＣＰＵ１４２がリスト表示順変更プログラム１４４ｅを実行することにより、
ユーザがリモコン部２を操作する度にリモコン信号受光部１３に伝送される信号に基づいて、テレビジョン受像機２００の表示画面２００ａに表示されるＣＭ情報のリスト表示順が更新されるように変更する変更手段として機能する。
【００４５】
設定表示制御プログラム１４４ｈは、番組宣伝用のＣＭ情報を記憶する際の所定の条件を設定する画面をテレビジョン受像機２００の表示画面２００ａに表示させる機能をＣＰＵ１４２に実現させるプログラムである。
つまり、ＣＰＵ１４２が設定表示制御プログラム１４４ｈを実行することにより、テレビジョン受像機２００の表示画面２００ａにて、例えば、番組宣伝用のＣＭ情報を取得するチャンネル、録画開始時間、録画終了時間、番組宣伝用のＣＭ情報を取得する最大件数、などを、ユーザがリモコン部２の操作により設定できるように、テレビジョン受像機２００の表示画面２００ａに表示させる表示制御手段として機能する。
【００４６】
設定記憶プログラム１４４ｉは、設定表示制御プログラム１４４ｈによりテレビジョン受像機２００の表示画面２００ａに表示された設定の画面にて、ユーザがリモコン部２の操作により設定したＣＭ情報の録画条件と、ＣＭ情報の取得処理を開始する条件と、ＣＭ情報の取得処理を終了する条件と、を録画保存用ディスクドライブ８に記憶する機能をＣＰＵ１４２に実現させるプログラムである。
つまり、ＣＰＵ１４２が設定記憶プログラム１４４ｉを実行することにより、ユーザにより設定されたＣＭ情報の録画条件として、例えば、ＣＭ情報を取得するチャンネルをデータ項目とし、ＣＭ情報の取得処理を開始する条件として、ＣＭ情報の取得処理を開始する日時をデータ項目とし、ＣＭ情報の取得処理を終了する条件として、ＣＭ情報の取得処理を終了する日時や取得するＣＭ情報の最大件数をデータ項目として、録画保存用ディスクドライブ８のＣＭ取得設定データファイル８ｂに記憶する記憶手段として機能する。
【００４７】
判断プログラム１４４ｊは、ＣＭ情報の取得処理を開始する条件に適合すると判断した場合に、ＣＭ情報の取得処理を開始し、ＣＭ情報の取得終了条件に適合すると判断した場合に、ＣＭ情報の取得処理を終了させる機能をＣＰＵ１４２に実現させるプログラムである。
つまり、ＣＰＵ１４２が判断プログラム１４４ｊを実行することにより、設定記憶プログラム１４４ｉにより記憶された、例えば、ＣＭ情報の取得処理を開始する日時が、後述の計時部１６により計時された日時に適合すると判断するまでの間は、当該記録再生装置１を待機させ、ＣＭ情報の取得処理を終了する日時が、計時部１６により計時された日時に適合すると判断するまでの間は、当該記録再生装置１に繰り返し取得処理を実行する。
【００４８】
計時部１６は、現在時刻を計時し、ＣＰＵ１４２からの制御出力に応じて、計時した現在時刻データを、ＣＰＵ１４２に対して出力する。
【００４９】
＜番組宣伝用ＣＭ情報記憶処理＞
次に、当該記録再生装置１及びテレビジョン放送情報記録再生システム１００における、番組宣伝用ＣＭ情報記憶処理について、図２のフローチャートを参照して説明する。
【００５０】
まず、ＣＰＵ１４２は、設定表示制御プログラム１４４ｈを実行することにより、表示部２００の表示画面２００ａにＣＭ情報を記憶する際の所定の条件を設定する画面を表示し、たとえば、ＣＭ情報を取得するチャンネル、ＣＭ情報の取得処理を開始・終了する日時、ＣＭ情報を取得する最大件数、などの所定の録画条件の設定や取得処理の開始・終了条件の設定をユーザに実行させる（ステップＳ１）。
【００５１】
次いで、ＣＰＵ１４２は、設定記憶プログラム１４４ｉを実行することにより、使用者にて設定されたＣＭ情報を記憶する録画条件や取得処理の開始・終了条件を、ＣＭ取得設定データファイル８ｂとして、録画保存用ディスクドライブ８に保存しておく（ステップＳ２）。
【００５２】
次いで、ＣＰＵ１４２は、判断プログラム１４４ｊを実行することにより、ＣＭ取得設定データファイル８ｂに記憶されたＣＭ情報の取得開始条件に適合したか否かを判断する（ステップＳ３）。
そして、ＣＰＵ１４２は、ＣＭ取得設定データファイル８ｂに記憶されたＣＭ情報の取得開始条件に適合すると判断するまでステップＳ３の処理を繰り返す（ステップＳ３；Ｎｏ）。
【００５３】
次いで、ＣＰＵ１４２は、ＣＭ取得設定データファイル８ｂに記憶されたＣＭ情報の取得開始条件に適合したと判断した場合（ステップＳ３；Ｙｅｓ）、送信プログラム５００ａにより送信装置５００から送信された放送信号を、テレビジョン放送情報としてチューナ３で受信し、取得プログラム１４４ａにより、そのテレビジョン放送情報が番組宣伝識別情報を保有するＣＭ情報であると判断した時は、そのＣＭ情報を取得する（ステップＳ４；Ｙｅｓ）。
【００５４】
一方で、ＣＰＵ１４２は、そのテレビジョン放送情報が番組宣伝識別情報を備えるＣＭ情報ではないと判断した場合、ステップＳ７に移行する（ステップＳ４；Ｎｏ）。
【００５５】
次いで、ＣＰＵ１４２は、番組宣伝識別情報を備えるＣＭ情報を取得した場合（ステップＳ４；Ｙｅｓ）、ＣＭ情報記憶プログラム１４４ｂを実行することにより、番組宣伝識別情報を備えるＣＭ情報をＣＭ情報記憶フォルダ８ａに記憶する（ステップＳ５）。
【００５６】
次いで、ＣＰＵ１４２は、ＣＭ情報削除プログラム１４４ｄを実行することにより、ＣＭ情報記憶フォルダ８ａに記憶された番組宣伝用のＣＭ情報の中で、例えば、それぞれのＣＭ情報が保有する「放送予定番組名」「放送予定時間帯」等の番組宣伝識別情報が完全に一致して重複するＣＭ情報が存在するか否かが判断される（ステップＳ６）。
【００５７】
そして、ＣＰＵ１４２は、ステップＳ６にて重複するＣＭ情報が存在すると判断した場合（ステップＳ６；Ｙｅｓ）、一以外の当該ＣＭ情報をＣＭ情報記憶フォルダ８ａから削除する（ステップＳ８）。
【００５８】
一方で、ＣＰＵ１４２は、ステップＳ６にて重複するＣＭ情報が存在しないと判断した場合、当該ＣＭ情報をＣＭ情報記憶フォルダ８ａに保持しておく（ステップＳ６；Ｎｏ）。
【００５９】
次いで、ＣＰＵ１４２は、ＣＭ取得設定データファイル８ｂに記憶されたＣＭ情報の取得終了条件に適合したか否かを判断し（ステップＳ７）、適合したと判断した場合には記録再生装置１の番組宣伝用ＣＭ情報記憶処理を終了する（ステップＳ７；Ｙｅｓ）。
【００６０】
一方で、ＣＰＵ１４２は、ＣＭ取得設定データファイル８ｂに記憶されたＣＭ情報の取得終了条件に適合しないと判断した場合は、ステップＳ４以降の処理を繰り返して行う（ステップＳ７；Ｎｏ）。
【００６１】
＜番組宣伝用ＣＭ情報再生処理＞
次に、当該記録再生装置１及びテレビジョン放送情報記録再生システム１００における、番組宣伝用ＣＭ情報再生処理について、図３のフローチャートを参照して説明する。
【００６２】
まず、ＣＰＵ１４２は、記憶された番組宣伝用のＣＭ情報をユーザが再生する前に、リモコン装置２からの指示により、ユーザが番組宣伝用のＣＭ情報の再生順を変更しようとする場合は、リスト表示制御プログラム１４４ｆを実行することにより、ＣＭ情報記憶フォルダ８ａに記憶された番組宣伝用のＣＭ情報の記憶ファイル名を、例えば、当該ＣＭ情報が記憶された日時、チャンネル、番組宣伝の対象となっている放送予定の番組名、ドラマやバラエティなどの放送予定の番組のジャンル、などの各ＣＭ情報が保有する識別情報とともに、リストとしてテレビジョン受像機２００の表示画面２００ａに表示させる（ステップＳ１０１；Ｙｅｓ）。
【００６３】
次いで、ＣＰＵ１４２は、リモコン部２の操作によりユーザがリスト表示されたＣＭ情報を並べ替えたか否かが、例えば、録画保存用ディスクドライブ８に記憶されている再生順データファイル８ｃに記憶された再生順と、テレビジョン受像機２００の表示画面２００ａに表示されているリストの表示順と、が一致しているか否かによって判断する（ステップＳ１０２）。
【００６４】
次いで、ＣＰＵ１４２は、ユーザがリスト表示されたＣＭ情報を並べ替えたと判断した場合（ステップＳ１０２；Ｙｅｓ）、ＣＭ再生順変更プログラム１４４ｇにより、ＣＭ情報記憶フォルダ８ａに記憶された各ＣＭ情報のファイル名と再生順が記載された再生順データファイル８ｃを、その並べ替えられた順に再生順の番号更新する（ステップＳ１０３）。
【００６５】
一方で、ＣＰＵ１４２は、ユーザがリスト表示されたＣＭ情報を並べ替えていないと判断した場合（ステップＳ１０２；Ｎｏ）、又はＣＭ情報のリストがテレビジョン受像機２００の表示画面２００ａに表示されなかった場合（ステップＳ１０１；Ｎｏ）、再生順データファイル８ｃにあらかじめ定められた再生順を変更しない（ステップＳ１０４）。
【００６６】
次いで、ＣＰＵ１４２は、リモコン部２の操作によりユーザがＣＭ情報の再生を選択した場合、再生プログラム１４４ｃを実行することにより、ＣＭ情報記憶フォルダ８ａに記憶された一又は複数のＣＭ情報を、再生順データファイル８ｃに記載された再生順に基づいて連続的に再生する（ステップＳ１０５）。
【００６７】
以上のように、本発明にかかる記録再生装置１において、例えば、ＣＭ情報を取得するチャンネルやＣＭ情報の取得処理を開始、終了する日時などの番組宣伝用のＣＭ情報を記憶する条件をユーザが設定すると、番組宣伝用のＣＭ情報の放送時刻や放送時間などを考慮することなく、その条件の下で自動的に番組宣伝用のＣＭ情報を記憶することが出来、更に、記憶された番組宣伝用のＣＭ情報を再生することが出来る。したがって、当該記録再生装置１は、番組宣伝識別情報を保有するＣＭ情報だけを判別して、不定期にスポット的に放送される番組宣伝用のＣＭ情報を好適に記憶することができる。そして、その記憶されたＣＭ情報を再生することが出来る。
【００６８】
つまり、記録再生装置１は、番組改変期などの新番組や特別番組が集中的に発生する時期において、その番組の内容を、従来のＥＰＧデータに比べて比較的早い段階で把握することが出来る。さらに、例えば、使用者は、番組宣伝用のＣＭ情報がいつ放送されるのかを詮索する手間、録画した放送番組情報とＣＭ情報とを切り分ける作業などを省くことが出来る。
【００６９】
また、記録再生装置１は、記憶されたＣＭ情報の中で、一のＣＭ情報を残して、内容が一致する２以上のＣＭ情報から重複するＣＭ情報を削除することが出来る。
【００７０】
つまり、記録再生装置１は、重複するＣＭ情報を記憶し続けることがないため、録画保存用ディスクドライブ８の記憶領域を逼迫することがない。また、ユーザが当該ＣＭ情報を視聴する際に、同一内容のＣＭ情報を選択し視聴することを回避することができる。
【００７１】
また、記録再生装置１は、記憶されたＣＭ情報を連続的に再生することが出来る。
【００７２】
つまり、ユーザは、記憶された複数からなるＣＭ情報を、一度に連続して視聴することが出来るので、個別に選択して視聴する手間を省くことが出来る。また、例えば、ストーリー性があり複数から構成されるＣＭ情報を、ユーザは間断なく好適に視聴することが出来る。
【００７３】
また、記録再生装置１は、記憶されたＣＭ情報をテレビジョン受像機の表示部にリストとして表示し、ユーザにリモコン操作を介してリストの並べ替えをさせることが出来る。
【００７４】
つまり、ユーザは、記憶されたＣＭ情報を、リストとして画面上で一度に確認することが出来るので、個別にＣＭ情報を選択して確認する手間が省ける。さらに、例えば、そのＣＭ情報のジャンルや記憶日時などに応じて、ＣＭ情報を再生する順序をユーザの所望するように変更することができる。
【００７５】
また、テレビジョン放送情報記録再生システム１００は、ＣＭ情報が番組情報を宣伝するための番組宣伝用のＣＭ情報である場合に、送信装置５００によりそのＣＭ情報に番組宣伝識別情報を付して記録再生装置１に受信させることが出来る。
【００７６】
つまり、記録再生装置１は、送信装置５００から受信したＣＭ情報が番組宣伝用のＣＭ情報であるか否かを、番組宣伝識別情報の有無によって判別することが可能であるため、容易に番組宣伝用のＣＭ情報を取得することができる。
【００７７】
このように、記録再生装置１及びテレビジョン放送情報記録再生システム１００は、番組情報とＣＭ情報を含むテレビジョン放送情報を取得し、その取得されたＣＭ情報の中で、番組宣伝識別情報を保有するＣＭ情報だけを判別して、不定期にスポット的に放送される番組宣伝用のＣＭ情報を好適に記憶することができる。そして、その記憶されたＣＭ情報を再生することが出来る。
【００７８】
なお、番組改変期などの新番組や特別番組が集中的に発生する時期において、使用者が好適に番組宣伝用のＣＭ情報を記憶することが出来るように、記録再生装置１の計時部１６にて計時される時刻により、現在時刻から番組改変期までの時間的なずれを判別し、番組改変期の２，３週間前程度より、テレビジョン受像機２００の表示部２００ａに番組改変期に近づきつつある旨を報知することが出来るように構成してもよい。
【図面の簡単な説明】
【００７９】
【図１】本発明にかかるテレビジョン放送情報記録再生システムの要部構成を示すブロック図である。
【図２】本発明における番組宣伝用ＣＭ情報記憶処理の実行による動作を説明するためのフローチャートである。
【図３】本発明における番組宣伝用ＣＭ情報再生処理の実行による動作を説明するためのフローチャートである。
【符号の説明】
【００８０】
１            記録再生装置
２            リモコン部（リスト表示順変更手段）
８            録画保存用ディスクドライブ
８ａ          ＣＭ情報記憶フォルダ（ＣＭ情報記憶手段）
１３          リモコン信号受信部（リスト表示順変更手段）
１００        テレビジョン放送情報記録再生システム
１４２        ＣＰＵ（取得手段、ＣＭ情報記憶手段、再生手段、ＣＭ情報削除手段、リスト表示順変更手段、リスト表示制御手段、ＣＭ再生順変更手段）
１４４        ＲＯＭ
１４４ａ      取得プログラム（取得手段）
１４４ｂ      ＣＭ情報記憶プログラム（ＣＭ情報記憶手段）
１４４ｃ      再生プログラム（再生手段）
１４４ｄ      ＣＭ情報削除プログラム（ＣＭ情報削除手段）
１４４ｅ      リスト表示順変更プログラム（リスト表示順変更手段）
１４４ｆ      リスト表示制御プログラム（リスト表示制御手段）
１４４ｇ      ＣＭ再生順変更プログラム（ＣＭ再生順変更手段）
２００        テレビジョン受像機
５００        送信装置
５００ａ      送信プログラム（送信手段）
【図１】
0004835544.tif 000002
【図２】
0004835544.tif 000003
【図３】
0004835544.tif 000004